(57)【要約】【課題】この発明は、複数の履物載せ具を収容する収容スペースが小さくて済み、運搬コストの低減を図ることができる履物載せ具の提供を目的とする。【解決手段】履物載せ具１を、履物載せ部３，３のいずれか一方又は他方が上向きとなる姿勢に設置した後、一方の履物Ｒ１を踵部Ｒｂ側から爪先部Ｒａ側に向けて高くなる姿勢に保持して上側履物載せ部３に載置する。他方の履物Ｒ２を履物Ｒ１に対し逆向きとなる姿勢に保持して下側履物載せ部３に載置する。この結果、履物Ｒ１，Ｒ２を履物載せ具１の履物載せ部３，３に対し上下に重ね合わせた状態に載置することができ、収納場所の省スペース化を図ることができる。また、複数の履物載せ具１を同一方向に向きを揃えて互いに重ね合わせれば一括して運搬することができるとともに、該履物載せ具１を収容する収容スペースが小さくて済むので、運搬コストの低減を図ることができる。【選択図】図６
2012075714.tif 000002
【特許請求の範囲】
【請求項１】
左右一対の履物のいずれか一方の履物を載置する上側の履物載せ部と、他方の履物を載置する下側の履物載せ部とを載せ具本体に備えた履物載せ具であって、
前記載せ具本体を、前記上下履物載せ部の一側対向縁部間が閉塞され、該上下履物載せ部の他側対向縁部間が開放された断面コ字状で、前記上側の履物載せ部が前記載せ具本体の長手方向と平行する方向に向けて傾斜する側面視台形状に形成した
履物載せ具。
【請求項２】
前記履物載せ部及び支持壁部の内壁面に、前記載せ具本体の長手方向と直交してリブを形成するとともに、該リブを前記載せ具本体の長手方向に対し所定間隔を隔てて多数本配列した
請求項１に記載の履物載せ具。
【請求項３】
前記上下一対の履物載せ部を、前記載せ具本体の一端側中心部と他端側中心部とを通る中心線を基準として上下対称に形成した
請求項１又は２に記載の履物載せ具。
【請求項４】
前記各履物載せ部の対向面間を、前記載せ具本体の長手方向と平行して該各履物載せ部の一端側から他端側に向けて徐々に広くなる間隔に隔てた
請求項１〜３のいずれか１つに記載の履物載せ具。
【請求項５】
前記各履物載せ部の対向面間を、前記載せ具本体の短手方向と平行して該各履物載せ部の一側対向縁部から他側対向縁部に向けて徐々に広くなる間隔に隔てた
請求項１〜４のいずれか１つに記載の履物載せ具。
【請求項６】
前記履物載せ部及び／又は前記支持壁部に対し厚み方向に貫通する孔部を複数形成した
請求項１〜５のいずれか一つに記載の履物載せ具。
【請求項７】
前記上下一対の履物載せ部の一方又は両方を、前記載せ具本体の長手方向と平行して複数に分割した
請求項１〜６のいずれか一つに記載の履物載せ具。
【請求項８】
前記上下一対の履物載せ部の一側対向縁部を回動自在に枢着し、該各履物載せ部の他側対向縁部を、前記履物の出し入れが許容される片開き状態に開閉自在に設けた
請求項１〜７のいずれか一つに記載の履物載せ具。
【請求項９】
前記上下一対の履物載せ部の間隔を、該各履物載せ部の間に配置される前記履物の高さに応じて上下方向に拡縮調節自在に設けた
請求項１〜８のいずれか一つに記載の履物載せ具。
【請求項１０】
前記履物載せ部の一端側上面に、該履物載せ部の一端側上面に沿って前記履物の爪先部又は踵部が受け止められる履物受け部を形成した
請求項１〜９のいずれか一つに記載の履物載せ具。
【請求項１１】
前記載せ具本体を、透光性を有するプラスチックで構成した
請求項１〜１０のいずれか一つに記載の履物載せ具。
【発明の詳細な説明】
【技術分野】
【０００１】
この発明は、例えば靴、ハイヒール等の左右一対の履物を上下に配置して収納場所の省スペース化を図ることができる履物載せ具に関する。
【背景技術】
【０００２】
上述の履物を収納する履物載せ具として、例えば左右一対の履物のいずれか一方の履物を上側に配置し、他方の履物を下側に配置する下駄箱用靴受け台（特許文献１参照）、靴収納具（特許文献２，３参照）等が提案されている。  
詳述すると、特許文献１の下駄箱用靴受け台は、該靴受け台の靴受け体を後方に傾動して、一方の靴を棚板上に載置する（同文献中の図４参照）。次に、靴受け体を前方に傾動して、他方の履物を前下がり傾斜状の靴受け体に載置（同文献中の図３参照）することで、左右一対の履物を上下に配置することができる。
【０００３】
また、特許文献２の靴収納具は、該靴収納具の上段トレイを上向きに回動して手前側を大きく開き、一方の靴を爪先部側が手前となるようにして下段トレイに載置する。次に、上段トレイを下向きに回動して手前側に傾斜させ、他方の靴を踵部側が手前となるようにして上段トレイに載置することで、左右一対の履物を上下に配置することができる。
【０００４】
また、特許文献３の靴収納具は、該靴収納具の下板部材に一方の靴を踵部側が手前となるように後向きの状態で載置する。次に、下板部材に立設した支持壁部材の平行傾斜溝に係合され、手前側に向けて高くなるように傾斜した状態に保持された上板部材に、他方の靴を爪先部側が手前となるように前向きの状態で載置することで、左右一対の履物を上下に配置することができる。
【０００５】
しかし、上述の靴受け台の靴受け板と、各靴収納具の上段トレイ及び上板部材は、靴の爪先部側が高くなる角度に傾斜しているので、靴受け台及び各靴収納具を上下反転して設置した場合、靴受け板及び上段トレイ、上板部材が下向きとなる。このため、靴受け台及び各靴収納具は、上下逆向きに設置すると靴を載置することができなくなる。
【０００６】
また、靴受け台や各靴収納具は上下の構造が異なるので、互いに重ね合わせることが不可能である。例えば靴受け台や各靴収納具を上下に積み重ねると、多数を一括して運搬することができるが、嵩が高くなるだけでなく、積み重ね姿勢が不安定となるので、運搬中に荷崩れが起きやすく、靴受け台や各靴収納具の多数を一括して運搬することが困難である。さらに、靴受け台や各靴収納具を多数運搬する際、その運搬数に対応して広い収容スペースが必要となるため、運搬コストが高くなるという問題があった。
【先行技術文献】
【特許文献】
【０００７】
【特許文献１】実開平４−１２３１６３号公報
【特許文献２】特開２００８−１８０３６号公報
【特許文献３】実用新案登録第３１５５８５０号公報
【発明の概要】
【発明が解決しようとする課題】
【０００８】
この発明は、複数の履物載せ具を収容する収容スペースが小さくて済み、運搬コストの低減を図ることができる履物載せ具を提供することを目的とする。
【課題を解決するための手段】
【０００９】
この発明は、左右一対の履物のいずれか一方の履物を載置する上側の履物載せ部と、他方の履物を載置する下側の履物載せ部とを載せ具本体に備えた履物載せ具であって、前記載せ具本体を、前記上下履物載せ部の一側対向縁部間が閉塞され、該上下履物載せ部の他側対向縁部間が開放された断面コ字状で、前記上側の履物載せ部が前記載せ具本体の長手方向と平行する方向に向けて傾斜する側面視台形状に形成した履物載せ具であることを特徴とする。
【００１０】
上述の履物載せ具を、上下履物載せ部のいずれか一方が上向き、他方が下向きとなる姿勢に設置した後、一方の履物を、該履物の爪先部側が高く踵部側が低くなる姿勢に保持して、所望する角度に傾斜する上側の履物載せ部に載置する。
【００１１】
また、他方の履物を、一方の履物に対し爪先部側と踵部側が逆向きとなる姿勢に保持して、上下履物載せ部の間に対し開放側から収納して下側の履物載せ部に載置する。
【００１２】
この結果、左右一対の履物を履物載せ具の上下履物載せ部に対し上下に重ね合わせた状態に載置することができ、該履物を収納する収納場所の省スペース化を図ることができる。また、複数の履物載せ具を互い違いに重ね合わせることで、該各履物載せ具を収容する収容スペースが小さくて済み、運搬コストの低減を図ることができる。
【００１３】
この発明の態様として、前記履物載せ部及び支持壁部の内壁面に、前記載せ具本体の長手方向と直交してリブを形成するとともに、該リブを前記載せ具本体の長手方向に対し所定間隔を隔てて多数本配列することができる。
【００１４】
一方の履物を履物載せ具の上側履物載せ部に載置した際、複数本のリブによって各履物載せ部が略平行する状態よりも内側へ撓もうとすることを積極的に防止することができる。
【００１５】
この結果、上下に配置される履物の位置及び姿勢が安定するだけでなく、履物載せ具全体の構造的強度が向上するので、重い履物を載置するのに必要な強度を確保することができる。
【００１６】
また、この発明の態様として、前記上下一対の履物載せ部を、前記載せ具本体の一端側中心部と他端側中心部とを通る中心線を基準として上下対称に形成することができる。
【００１７】
上下一対の履物載せ部を上下対称に形成しているので、履物載せ具を、各履物載せ部のいずれか一方が上向き、他方が下向きとなる姿勢に設置しても、各履物載せ部の傾斜角度が変わることがない。  
この結果、履物載せ具を上下どちら向きでも使用することができる。したがって、利便性が向上する。
【００１８】
また、この発明の態様として、前記各履物載せ部の対向面間を、前記載せ具本体の長手方向と平行して該各履物載せ部の一端側から他端側に向けて徐々に広くなる間隔に隔てることができる。
【００１９】
複数の履物載せ具を同一方向に向きを揃えれば、先の履物載せ具の各履物載せ部の間に、次の履物載せ具を長手方向から挿入して、複数の履物載せ具を長手方向に対し互いに重ね合わせることができる。
【００２０】
この結果、複数の履物載せ具を収容する収容スペースが小さくて済み、運搬コストの低減を図ることができる。
【００２１】
また、この発明の態様として、前記各履物載せ部の対向面間を、前記載せ具本体の短手方向と平行して該各履物載せ部の一側対向縁部から他側対向縁部に向けて徐々に広くなる間隔に隔てることができる。
【００２２】
複数の履物載せ具を同一方向に向きを揃えれば、先の履物載せ具の各履物載せ部の間に対し次の履物載せ具を短手方向から挿入して、複数の履物載せ具を短手方向に対し互いに重ね合わせることができる。
【００２３】
この結果、複数の履物載せ具を収容する収容スペースが小さくて済み、運搬コストの低減を図ることができる。
【００２４】
また、この発明の態様として、前記履物載せ部及び／又は前記支持壁部に対し厚み方向に貫通する孔部を複数形成することができる。
【００２５】
一方の履物を履物載せ具の上側履物載せ部に載置し、他方の履物を下側履物載せ部に載置しておけば、孔部を通過する空気によって履物に付着する水分（例えば雨水、汗等）が蒸発及び気化されやすい。
【００２６】
この結果、履物が乾きやすく、良好な履き心地が得られる。また、汗特有の臭いが履物に残ったり、例えば雑菌、異臭等が発生するのを防止することができる。
【００２７】
なお、孔部は、例えば丸形、矩形、三角形、楕円形、台形、菱形、星形等の所望する孔形状で構成することができる。
【００２８】
また、この発明の態様として、前記上下一対の履物載せ部の一方又は両方を、前記載せ具本体の長手方向と平行して複数に分割することができる。
【００２９】
一方の履物を履物載せ具の上側履物載せ部に載置し、他方の履物を下側履物載せ部に載置しておけば、上述の孔部よりも空間を通過する空気の量が多いので、履物に付着する水分（例えば雨水、汗等）が蒸発及び気化されやすい。
【００３０】
この結果、履物を短い時間で乾かすことができ、良好な履き心地が早期に得られる。また、空間に相当する部材の量だけ軽量化が図れる。
【００３１】
また、この発明の態様として、前記上下一対の履物載せ部の一側対向縁部を回動自在に枢着し、該各履物載せ部の他側対向縁部を、前記履物の出し入れが許容される片開き状態に開閉自在に設けることができる。
【００３２】
上下一対の履物載せ部を略平行する角度に回動すれば、一方の履物を上側履物載せ部に載置し、他方の履物を下側履物載せ部に載置することができる。また、各履物載せ部を略平行する角度よりも広い開角度に回動すれば、他方の履物を各履物載せ部の間に対し開放側から収納したり、開放側から取り出したりすることができる。
【００３３】
この結果、他方の履物を各履物載せ部の間に対し出し入れする作業が簡単且つ容易に行える。
【００３４】
また、この発明の態様として、前記上下一対の履物載せ部の間隔を、該各履物載せ部の間に配置される前記履物の高さに応じて上下方向に拡縮調節自在に設けることができる。
【００３５】
上下一対の履物載せ部を離間方向に相対移動させて、踵部が高い履物の載置が許容される間隔に離間すれば、例えばハイヒール等の高い履物を載置することができる。また、上下一対の履物載せ部を近接方向に相対移動させて、踵部が低い履物の載置が許容される間隔に近接すれば、例えばウォーキングシューズ等の低い履物を載置することができる。
【００３６】
この結果、１つの履物載せ具を、踵部の高さが異なる複数種の履物を上下に重ね合わせた状態に配置するのに用いることができる。
【００３７】
また、この発明の態様として、前記履物載せ部の一端側上面に、該履物載せ部の一端側上面に沿って前記履物の爪先部又は踵部が受け止められる履物受け部を形成することができる。
【００３８】
例えば革靴、ハイヒール等の履物を履物載せ具の上側履物載せ部に載置する場合、履物の爪先部側が高く踵部側が低くなる姿勢に保持して載置すれば、その履物の踵部が履物受け部で受け止められる。
【００３９】
この結果、上側履物載せ部に載置された履物の位置及び姿勢が安定するとともに、履物載せ部から履物がズレ落ちるのを防止することができる。
【００４０】
また、この発明の態様として、前記載せ具本体を、透光性を有するプラスチックで構成することができる。  
履物載せ部及び支持壁部を光が透過するだけでなく、履物載せ部と支持壁部の重なり合う部分や下側の履物載せ部に載置された履物が透けて見える。したがって、下側の履物載せ部に載置された履物の向きや有無を外部から容易に目視確認することができる。  
この結果、履物載せ具の意匠性が向上する。
【００４１】
上記プラスチックは、例えばポリアセタール、ポリプロピレン、ポリエチレン、ポリエステル、ポリカーボネード、アクリル等の透明なプラスチック、あるいは、所望する色に着色された半透明なプラスチックで構成することができる。
【発明の効果】
【００４２】
この発明によれば、複数の履物載せ具を収容する収容スペースが小さくて済み、運搬コストの低減を図ることができる。
【図面の簡単な説明】
【００４３】
【図１】本実施形態の履物載せ具の斜視図。
【図２】履物載せ具の正面図及び背面図。
【図３】履物載せ具の平面図。
【図４】履物載せ具の右側面図及び左側面図。
【図５】履物載せ具のＡ−Ａ線矢視断面図。
【図６】履物載せ具の使用状態を示す側面図。
【図７】履物載せ具の重ね合わせ状態を示す正面図。
【図８】履物載せ具の重ね合わせ状態を示す左側面図。
【図９】孔部を形成した他の例の履物載せ具の斜視図。
【図１０】履物載せ具の正面図及び背面図。
【図１１】履物載せ具の平面図。
【図１２】履物載せ具の右側面図及び左側面図。
【図１３】履物載せ具のＢ−Ｂ線矢視断面図及びＣ−Ｃ線矢視断面図。
【図１４】履物載せ部を複数に分割した他の例の履物載せ具の斜視図。
【図１５】履物載せ具の正面図及び背面図。
【図１６】履物載せ具の平面図。
【図１７】履物載せ具の右側面図及び左側面図。
【図１８】履物載せ具のＤ−Ｄ線矢視断面図。
【図１９】履物載せ部を開閉回動自在に設けた他の例の履物載せ具の斜視図。
【図２０】履物載せ具の正面図及び背面図。
【図２１】履物載せ具の平面図。
【図２２】履物載せ具の右側面図及び左側面図。
【図２３】履物載せ具のＥ−Ｅ線矢視断面図。
【図２４】履物載せ部を拡縮調節自在に設けた他の例の履物載せ具の斜視図。
【図２５】履物載せ具の正面図及び背面図。
【図２６】履物載せ具の平面図。
【図２７】履物載せ具の右側面図及び左側面図。
【図２８】履物載せ具のＦ−Ｆ線矢視断面図。
【図２９】リブが無い他の例の履物載せ具の斜視図。
【図３０】履物載せ具の正面図及び背面図。
【図３１】履物載せ具の平面図。
【図３２】履物載せ具の右側面図及び左側面図。
【図３３】履物載せ具のＧ−Ｇ線矢視断面図。
【図３４】不透明プラスチックで形成した他の例の履物載せ具の斜視図。
【図３５】履物載せ具の正面図及び背面図。
【図３６】履物載せ具の平面図。
【図３７】履物載せ具の右側面図及び左側面図。
【図３８】履物載せ具のＨ−Ｈ線矢視断面図。
【図３９】リブを履物載せ部の外壁面に形成した他の例の履物載せ具の斜視図。
【図４０】履物載せ具の正面図及び背面図。
【図４１】履物載せ具の平面図。
【図４２】履物載せ具の右側面図及び左側面図。
【図４３】履物載せ具のＪ−Ｊ線矢視断面図。
【図４４】２つの履物載せ具を並列配置した他の使用例の斜視図。
【発明を実施するための形態】
【００４４】
この発明の一実施形態を以下図面に基づいて詳述する。  
図１は本実施形態の履物載せ具１の斜視図、図２の（ａ）（ｂ）は履物載せ具１の正面図と背面図、図３は履物載せ具１の平面図、図４の（ｃ）（ｄ）は履物載せ具１の右側面図と左側面図、図５は図２の（ａ）に示す履物載せ具１のＡ−Ａ線矢視断面図、図６は履物載せ具１の使用状態を示す側面図、図７及び図８は履物載せ具１の重ね合わせ状態を示す正面図と左側面図である。  
なお、図１に示す履物載せ具１の底面図は、図３の平面図と対称に現れるので、底面図を省略している。
【００４５】
本実施形態の履物載せ具１は、透光性を有する透明プラスチックで形成した載せ具本体２を、平面視矩形に形成した上下一対の履物載せ部３，３と、該履物載せ部３，３の一側対向縁部を連結する支持壁部４とで構成している。
【００４６】
載せ具本体２は、履物載せ部３，３の一側対向縁部間が支持壁部４で閉塞され、該履物載せ部３，３の他側対向縁部間が開放された断面コ字状で、上向きとなる履物載せ部３が載せ具本体２の長手方向Ｘと平行する方向に向けて傾斜する側面視台形状に形成している。
【００４７】
履物載せ部３，３は、載せ具本体２の長手方向Ｘと平行して該載せ具本体２の一端側（図３中の右側）から他端側（図３中の左側）に向けて同一となる載置幅に形成している。また、履物載せ部３，３は、載せ具本体２の一端側中心部と他端側中心部とを通る中心線Ｚを基準として上下対称に形成している。
【００４８】
支持壁部４は、載せ具本体２の一端側から他端側に向けて徐々に幅広となる横向きの側面視台形状に形成している（図２参照）。また、支持壁部４の上下縁部は、上述の中心線Ｚを基準として上下対称となる角度に傾斜している。
【００４９】
つまり、履物載せ部３，３の一側対向縁部を支持壁部４の上下縁部にそれぞれ連結して、載せ具本体２を、図４の（ｃ）に示すように履物載せ部３，３の一側対向縁部間が支持壁部４で閉塞され、該物載せ部３，３の他側対向縁部間が開放された右側面から見て断面コ字状に形成している。
【００５０】
履物載せ部３，３の長手方向Ｘと平行する内側対向面間は、載せ具本体２の一端側対向面間ａから他端側対向面間ｂに向けて徐々に広くなる間隔に隔てている（図６参照）。
【００５１】
履物載せ部３，３の一端側対向面間ａは、履物Ｒ１又はＲ２の爪先部Ｒａの挿入が許容される上下間隔に隔てている。また、履物載せ部３，３の他端側対向面間ｂは、履物Ｒ１又はＲ２の踵部Ｒｂの挿入が許容される上下間隔に隔てている。
【００５２】
履物載せ部３，３の短手方向Ｙと平行する内側対向面間は、履物Ｒ１又はＲ２自体の重量によって履物載せ部３，３が内側へ撓むのを予め考慮して、支持壁部４にて連結された閉塞側対向面間ｃから開放側対向面間ｄに向けて徐々に広くなる間隔に隔てている（図４参照）。
【００５３】
例えば履物Ｒ１又はＲ２の一方を載せ具本体２の上側履物載せ部３に載置した際、履物Ｒ１又はＲ２自体の重量によって履物載せ部３，３が略平行となる状態にまで撓むので、上側履物載せ部３に載置された履物Ｒ１又はＲ２の載置姿勢を安定させることができる。
【００５４】
履物載せ部３，３及び支持壁部４の内壁面には、載せ具本体２の長手方向Ｘと直交してリブ５を連続して形成している。また、リブ５は、載せ具本体２の長手方向Ｘに対し等間隔を隔てて多数本配列している。  
すなわち、リブ５によって履物載せ部３，３が略平行する状態よりも内側へ撓もうとするのを防止することができる。
【００５５】
この結果、上下に載置される履物Ｒ１又はＲ２の位置及び姿勢が安定するだけでなく、履物載せ具１全体の構造的強度が向上するので、重い履物Ｒ１又はＲ２を載置するのに必要な強度を確保することができる。
【００５６】
履物載せ部３の上面は、履物Ｒ１又はＲ２の全長よりも長尺で、履物Ｒ１又はＲ２の横幅よりも幅広に形成している。また、履物Ｒ１又はＲ２の踵部Ｒｂ側が載置される履物載せ部３の一端側上面には、該履物載せ部３の一端側上面に沿って履物Ｒ１又はＲ２の爪先部Ｒａ又は踵部Ｒｂが受け止められる履物受け部６を形成している。
【００５７】
次に、本実施形態の履物載せ具１に左右一対の履物Ｒ１，Ｒ２を載置する方法を説明する。  
先ず、履物載せ具１を、履物載せ部３，３のいずれか一方が上向き、他方が下向きとなる姿勢に保持して下駄箱Ａの棚板Ａａに設置する（図６参照）。
【００５８】
履物載せ具１の履物載せ部３，３は中心線Ｚを基準として上下対称となる角度に傾斜しているので、履物載せ具１を上下逆向きとなる姿勢に設置しても、履物載せ部３，３の傾斜角度が変わることがなく、履物載せ具１を上下どちら向きでも使用することができる。
【００５９】
つまり、履物載せ具１を、一方の履物載せ部３が下向きとなる姿勢に設置すれば、履物載せ具１の全体が横向きの側面視台形状に設置されるので、他方の履物載せ部３が上向きとなり載せ具本体２の長手方向Ｘと平行して一方に向けて傾斜される。したがって、利便性が向上する。
【００６０】
次に、図６に示すように、一方の履物Ｒ１を上側履物載せ部３に載置する場合、履物Ｒ１の爪先部Ｒａ側を上側履物載せ部３の高位側に向け、履物Ｒ１の踵部Ｒｂ側を上側履物載せ部３の低位側に向けた姿勢に保持して、上側履物載せ部３に載置する。
【００６１】
履物Ｒ１の踵部Ｒｂを低位側の履物受け部６にて受け止めるので、上側履物載せ部３に載置された履物Ｒ１の位置及び姿勢が安定するとともに、上側履物載せ部３から履物Ｒ１がズレ落ちるのを防止することができる。
【００６２】
次に、他方の履物Ｒ２を下側履物載せ部３に載置する場合、一方の履物Ｒ１に対し爪先部Ｒａ側と踵部Ｒｂ側が逆向きとなる姿勢に保持し、他方の履物Ｒ２の爪先部Ｒａ側を履物載せ具１の一端側に向け、履物Ｒ２の踵部Ｒｂ側を履物載せ具１の他端側に向けた姿勢に保持して、履物載せ部３，３の間に対し開放側から収納して下側履物載せ部３に載置する。
【００６３】
この結果、左右一対の履物Ｒ１，Ｒ２を上下に重ね合わせた状態に載置することができ、該履物Ｒ１又はＲ２を収納する収納場所の省スペース化を図ることができる。
【００６４】
また、履物載せ部３，３の対向面間は、載せ具本体２の一端側対向面間ａから他端側対向面間ｂに向けて徐々に広くなる間隔に隔てている。さらに、載せ具本体２の閉塞側対向面間ｃから開放側対向面間ｄに向けて徐々に広くなる間隔に隔てている。
【００６５】
つまり、例えば３個の履物載せ具１を同一方向に向きを揃えれば、長手方向Ｘや短手方向Ｙに対し互いに重ね合わせることができる（図７及び図８参照）。また、長手方向Ｘと短手方向Ｙとを合成した斜め方向に重ね合わせることもできる。
【００６６】
この結果、複数の履物載せ具１を一括して運搬することができるとともに、該履物載せ具１を収容する収容スペースが小さくて済むので、運搬コストの低減を図ることができる。また、複数の履物載せ具１を重ね合わせると嵩が低くなるので、保管スペースが小さくて済む。
【００６７】
また、載せ具本体２を、透光性を有する透明プラスチックで構成しているので、履物載せ部３と支持壁部４の重なり合う部分や下側の履物載せ部３に載置された履物１又はＲ２が透けて見える。  
したがって、下側の履物載せ部３に載置された履物Ｒ１又はＲ２の向きや有無を外部から容易に目視確認することができる。この結果、履物載せ具１の意匠性が向上する。
【００６８】
また、履物載せ具１を、履物載せ部３，３の一端側対向面間ａが手前となる姿勢に保持して下駄箱Ａの棚板Ａａに設置した場合、一端側対向面間ａは、履物Ｒ２の踵部Ｒｂより間隔が狭いため、手前から出し入れすることが困難であるが、履物載せ部３，３の他側対向縁部間を横方向に開放しているので、下側の履物載せ部３に載置された履物Ｒ２を、履物載せ部３，３の間に対し開放側から横方向に収納したり、開放側から横方向に取り出したりすることができる。
【００６９】
図９は通気用の孔部７を形成した他の例の履物載せ具１の斜視図、図１０の（ａ）（ｂ）は履物載せ具１の正面図と背面図、図１１は履物載せ具１の平面図、図１２の（ｃ）（ｄ）は履物載せ具１の右側面図と左側面図、図１３の（ｅ）（ｆ）は図１０の（ａ）に示す履物載せ具１のＢ−Ｂ線矢視断面図と、図１１に示すＣ−Ｃ線矢視断面図である。  
なお、図９に示す履物載せ具１の底面図は、図１１の平面図と対称に現れるので、底面図を省略している。
【００７０】
本例の履物載せ具１は、履物載せ部３及び支持壁部４に、該履物載せ部３及び支持壁部４の厚み方向に貫通して楕円形状の孔部７を複数形成している。  
また、孔部７は、履物載せ部３及び支持壁部４に形成したリブ５の間にそれぞれ形成するとともに、載せ具本体２の長手方向Ｘに対し等間隔を隔てて複数配列している。
【００７１】
一方の履物Ｒ１を履物載せ具１の上側履物載せ部３に載置し、他方の履物Ｒ２を下側履物載せ部３に載置しておけば、孔部７を通過する空気によって履物Ｒ１又はＲ２に付着する水分（例えば雨水、汗等）が蒸発及び気化されやすい。
【００７２】
この結果、履物Ｒ１又はＲ２が乾きやすく、良好な履き心地が得られる。また、汗特有の臭いが履物Ｒ１又はＲ２に残るか、例えば雑菌、異臭等が発生するのを防止することもできる。さらには、前記実施形態と略同等の作用及び効果を奏することができる。  
なお、楕円形状の孔部７に代えて、例えば丸形状、矩形等の孔部を形成してもよい。
【００７３】
図１４は履物載せ部３を複数に分割した他の例の履物載せ具１の斜視図、図１５の（ａ）（ｂ）は履物載せ具１の正面図と背面図、図１６は履物載せ具１の平面図、図１７の（ｃ）（ｄ）は履物載せ具１の右側面図と左側面図、図１８は図１５の（ａ）に示す履物載せ具１のＤ−Ｄ線矢視断面図である。  
なお、図１４に示す履物載せ具１の底面図は、図１６の平面図と対称に現れるので、底面図を省略している。
【００７４】
本例の履物載せ具１は、履物載せ部３を、載せ具本体２の長手方向Ｘと平行して一端側載せ部３ａと他端側載せ部３ｂとにそれぞれ分割している。  
一端側載せ部３ａと他端側載せ部３ｂは、載せ具本体２の長手方向Ｘに対し間隔を隔てて形成している。また、一端側載せ部３ａと他端側載せ部３ｂの間には、上述の全孔部７を総合した開口面積よりも大きい空間３ｃを形成している。
【００７５】
一方の履物Ｒ１を履物載せ具１の上側履物載せ部３に載置し、他方の履物Ｒ２を下側履物載せ部３に載置しておけば、上述の孔部７よりも空間３ｃを通過する空気の量が多いので、履物Ｒ１又はＲ２に付着する水分（例えば雨水、汗等）が蒸発及び気化されやすい。
【００７６】
この結果、履物Ｒ１又はＲ２を短い時間で乾かすことができ、良好な履き心地が早期に得られる。また、孔部７を形成した履物載せ具１に比べて、空間３ｃを形成した履物載せ具１の方が軽く、軽量化を図ることができる。さらには、前記実施形態と略同等または同等以上の作用及び効果を奏することができる。
【００７７】
なお、上述の例では、履物載せ部３を載せ部３ａ，３ｂに分割しているが、例えば３つの載せ部、４つの載せ部等の２つ以上に分割してもよい。また、履物載せ部３，３のいずれか一方のみを複数に分割してもよい。
【００７８】
図１９は履物載せ部３，３を開閉回動自在に設けた他の例の履物載せ具１の斜視図、図２０の（ａ）（ｂ）は履物載せ具１の正面図と背面図、図２１は履物載せ具１の平面図、図２２の（ｃ）（ｄ）は履物載せ具１の右側面図と左側面図、図２３は図２０の（ａ）に示す履物載せ具１のＥ−Ｅ線矢視断面図である。  
なお、図１９に示す履物載せ具１の底面図は、図２１の平面図と対称に現れるので、底面図を省略している。
【００７９】
本例の履物載せ具１は、支持壁部４を、載せ具本体２の一端側中心部と他端側中心部とを通る中心線Ｚを基準として上下に分割し、上側履物載せ部３の一側縁部に連設された上側壁部４ａと、下側履物載せ部３の一側縁部に連設された下側壁部４ｂとの対向端部を支軸８により開閉回動自在に枢着している。
【００８０】
上述の支軸８を中心として、履物載せ部３，３を略平行する閉角度に回動（図２２中の実線参照）すれば、一方の履物Ｒ１を上側履物載せ部３に載置し、他方の履物Ｒ２を下側履物載せ部３に載置することができる。
【００８１】
また、履物載せ部３，３を略平行する角度よりも広い開角度に回動（図２２中の仮想線参照）すれば、他方の履物Ｒ２を履物載せ部３，３の間に対し開放側から収納したり、開放側から取り出したりすることができる。
【００８２】
この結果、履物Ｒ１又はＲ２の一方を履物載せ部３，３の間に対し出し入れする作業が簡単且つ容易に行える。さらには、前記実施例と略同等の作用及び効果を奏することができる。
【００８３】
図２４は履物載せ部３，３の間隔を拡縮調節自在に設けた他の例の履物載せ具１の斜視図、図２５の（ａ）（ｂ）は履物載せ具１の正面図と背面図、図２６は履物載せ具１の平面図、図２７の（ｃ）（ｄ）は履物載せ具１の右側面図と左側面図、図２８は図２５の（ａ）に示す履物載せ具１のＦ−Ｆ線矢視断面図である。  
なお、図２４に示す履物載せ具１の底面図は、図２６の平面図と対称に現れるので、底面図を省略している。
【００８４】
本例の履物載せ具１は、上側履物載せ部３に連設された上側壁部４ａと下側履物載せ部３に連設された下側壁部４ｂとを、該壁部４ａ，４ｂの対向面に形成した突起９ａと溝部９ｂとを上下摺動自在に係合して、履物載せ部３，３の間隔を上下方向に対し拡縮調節自在に設けている。
【００８５】
履物載せ部３，３を離間方向に相対移動させて、踵部Ｒｂが高い履物Ｒ１又はＲ２の載置が許容される間隔に離間すれば、例えばハイヒール等の高い履物Ｒ１又はＲ２を載置することができる。
【００８６】
履物載せ部３，３を近接方向に相対移動させて、踵部Ｒｂが低い履物Ｒ１又はＲ２の載置が許容される間隔に近接すれば、例えばウォーキングシューズ等の低い履物を載置することができる。
【００８７】
この結果、１つの履物載せ具１を、踵部Ｒｂの高さが異なる複数種の履物Ｒ１，Ｒ２を上下に重ね合わせた状態に載置するのに用いることができる。さらには、前記実施形態と略同等の作用及び効果を奏することができる。
【００８８】
なお、履物載せ部３，３の間隔を上下方向に対し段階的に拡縮調節する場合、例えば壁部４ａ，４ｂのいずれか一方の面に沿って形成した複数の凹部と、他方の面に形成した凸部とを互いに係合する規制手段で規制しているが、他の規制手段を用いて段階的に拡縮調節してもよい。
【００８９】
図２９はリブ５が無い他の例の履物載せ具１の斜視図、図３０の（ａ）（ｂ）は履物載せ具１の正面図と背面図、図３１は履物載せ具１の平面図、図３２の（ｃ）（ｄ）は履物載せ具１の右側面図と左側面図、図３３は図３０の（ａ）に示す履物載せ具１のＧ−Ｇ線矢視断面図である。  
なお、図２９に示す履物載せ具１の底面図は、図３１の平面図と対称に現れるので、底面図を省略している。
【００９０】
本例の履物載せ具１は、リブ５が無いという構成を除いて、その他の構成は、図１〜図９に示すリブ５が形成された実施形態の履物載せ具１と同一の構成を有しているので、前記実施形態と略同等の作用及び効果を奏することができる。
【００９１】
図３４は不透明プラスチックで形成した他の例の履物載せ具１の斜視図、図３５の（ａ）（ｂ）は履物載せ具１の正面図と背面図、図３６は履物載せ具１の平面図、図３７の（ｃ）（ｄ）は履物載せ具１の右側面図と左側面図、図３８は図３５の（ａ）に示す履物載せ具１のＨ−Ｈ線矢視断面図である。  
なお、図３４に示す履物載せ具１の底面図は、図３５の平面図と対称に現れるので、底面図を省略している。
【００９２】
本例の履物載せ具１は、載せ具本体２を不透明プラスチックで形成したという構成を除いて、その他の構成は、図１〜図９に示すリブ５が形成された実施形態の履物載せ具１と同一の構成を有しているので、前記実施形態と略同等の作用及び効果を奏することができる。
【００９３】
図３９は４本のリブ５を履物載せ部３の外壁面に形成した他の例の履物載せ具１の斜視図、図４０の（ａ）（ｂ）は履物載せ具１の正面図と背面図、図４１は履物載せ具１の平面図、図４２の（ｃ）（ｄ）は履物載せ具１の右側面図と左側面図、図４３は図４１に示す履物載せ具１のＪ−Ｊ線矢視断面図である。  
なお、図３９に示す履物載せ具１の底面図は、図４１の平面図と対称に現れるので、底面図を省略している。
【００９４】
次に、一方の履物Ｒ１を上側履物載せ部３に載置した際、履物載せ部３の外壁面に形成したリブ５が履物Ｒ１の接地側底面に係止される。或いは、リブ５の接触抵抗が履物Ｒ１の接地側底面に付与される。  
この結果、履物Ｒ１が上側履物載せ部３からズレ落ちたり、履物Ｒ１の一部が上側履物載せ部３から食み出すたりするのを防止することができる。
【００９５】
本例の履物載せ具１は、４本のリブ５を履物載せ部３の外壁面に形成した構成を除いて、その他の構成は、図１〜図９に示す実施形態の履物載せ具１と同一の構成を有しているので、前記実施形態と略同等の作用及び効果を奏することができる。また、リブ５の本数を、４本以下又は４本以上の所望する本数に変更してもよい。
【００９６】
図４４は２つの履物載せ具１，１を並列配置した他の使用例の斜視図である。  
本例の履物載せ具１，１を、該履物載せ具１，１の開放側対向面間ｄを対向して左右対称に並列配置する。
【００９７】
並列配置した履物載せ具１，１を一端側対向面間ａが手前側（図４４中の左側）となるように向きを揃えて下駄箱Ａの棚板Ａａに設置（図６参照）すれば、使用頻度の高いタイプの履物Ｒ１，Ｒ２を上側履物載せ部３，３に載置し、使用頻度の低いタイプの履物Ｒ１，Ｒ２を下側履物載せ部３，３に載置することができる。
【００９８】
また、並列配置した履物載せ具１，１を一端側対向面間ａが後向きとなるように向きを揃えて下駄箱Ａの棚板Ａａに設置すれば、使用頻度の高いタイプの履物Ｒ１，Ｒ２を下側履物載せ部３，３に載置し、使用頻度の低いタイプの履物Ｒ１，Ｒ２を上側履物載せ部３，３に載置することができる。  
この結果、使用頻度の高いタイプの履物Ｒ１，Ｒ２を即取り出して使用することができ便利である。また、２足分の履物Ｒ１，Ｒ２を揃えて上下に載置しておくことができ、スペースを有効利用することができる。
【００９９】
この発明の構成と、前記実施形態との対応において、  
この発明の左右一対の履物は、実施形態の履物Ｒ１，Ｒ２に対応するも、  
この発明は、上述の実施形態の構成のみに限定されるものではなく、請求項に示される技術思想に基づいて応用することができ、多くの実施の形態を得ることができる。
【０１００】
例えばリブ５を、載せ具本体２の長手方向Ｘと交差して斜めに形成してもよい。また、履物載せ部３，３及び支持壁部４の外壁面に沿って形成してもよい。
【符号の説明】
【０１０１】
Ｒ１，Ｒ２…履物
Ｒａ…爪先部
Ｒｂ…踵部
１…履物載せ具
２…載せ具本体
３…履物載せ部
３ａ，３ｂ…載せ部
３ｃ…空間
４…支持壁部
４ａ…上側壁部
４ｂ…下側壁部
５…リブ
６…履物受け部
７…孔部
８…支軸
９ａ…突起
９ｂ…溝部
【図１】
2012075714.tif 000003
【図２】
2012075714.tif 000004
【図３】
2012075714.tif 000005
【図４】
2012075714.tif 000006
【図５】
2012075714.tif 000007
【図６】
2012075714.tif 000008
【図７】
2012075714.tif 000009
【図８】
2012075714.tif 000010
【図９】
2012075714.tif 000011
【図１０】
2012075714.tif 000012
【図１１】
2012075714.tif 000013
【図１２】
2012075714.tif 000014
【図１３】
2012075714.tif 000015
【図１４】
2012075714.tif 000016
【図１５】
2012075714.tif 000017
【図１６】
2012075714.tif 000018
【図１７】
2012075714.tif 000019
【図１８】
2012075714.tif 000020
【図１９】
2012075714.tif 000021
【図２０】
2012075714.tif 000022
【図２１】
2012075714.tif 000023
【図２２】
2012075714.tif 000024
【図２３】
2012075714.tif 000025
【図２４】
2012075714.tif 000026
【図２５】
2012075714.tif 000027
【図２６】
2012075714.tif 000028
【図２７】
2012075714.tif 000029
【図２８】
2012075714.tif 000030
【図２９】
2012075714.tif 000031
【図３０】
2012075714.tif 000032
【図３１】
2012075714.tif 000033
【図３２】
2012075714.tif 000034
【図３３】
2012075714.tif 000035
【図３４】
2012075714.tif 000036
【図３５】
2012075714.tif 000037
【図３６】
2012075714.tif 000038
【図３７】
2012075714.tif 000039
【図３８】
2012075714.tif 000040
【図３９】
2012075714.tif 000041
【図４０】
2012075714.tif 000042
【図４１】
2012075714.tif 000043
【図４２】
2012075714.tif 000044
【図４３】
2012075714.tif 000045
【図４４】
2012075714.tif 000046